【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置において、
パノラマ画像を生成するために撮像手段により複数の画像を撮像するパノラマ画像撮像手段と、
前記通常モードと前記暗視モードを切り替えるための時刻を設定する撮像モード切り替え時刻設定手段と、
前記撮像モード切り替え時刻設定手段により設定された時刻になったら前記通常モードと前記暗視モードを切り替える撮像モード切り替え手段と、を備え、
前記撮像モード切り替え手段は、前記パノラマ画像撮像手段の動作状態に応じて、前記モード切り替えを行わないよう制御することを特徴とする撮像装置。
【請求項２】
パノラマ画像の撮像中に前記撮像モード切り替え時刻設定手段によって設定された時刻になった場合は、前記撮像モード切り替え手段は、前記パノラマ画像撮像手段によるパノラマ画像撮像が終了してから前記通常モードと暗視モードを切り替えることを特徴とする請求項１記載の撮像装置。
【請求項３】
被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置において、
パノラマ画像を生成するために撮像手段により複数の画像を撮像するパノラマ画像撮像手段と、
被写体の照度を検出する被写体照度検出手段と、
前記被写体照度検出手段によって得られた検出結果に応じて前記通常モードと前記暗視モードを切り替える撮像モード切り替え手段と、を備え、
前記撮像モード切り替え手段は、前記パノラマ画像撮像手段の動作状態に応じて、前記モード切り替えを行わないよう制御することを特徴とする撮像装置。
【請求項４】
パノラマ画像の撮像中は、前記撮像モード切り替え手段は、前記通常モードと暗視モードを切り替えることを禁止し、前記パノラマ画像撮像手段は、パノラマ画像の撮像の開始時の撮像モードでパノラマ画像撮像することを特徴とする請求項３記載の撮像装置。
【請求項５】
パノラマ画像撮像の終了の後、前記通常モードで撮像された単位画像数と前記暗視モードで撮像された単位画像数を比較するモード画像数比較手段を備え、
前記モード画像数比較手段により比較された結果に応じて、単位画像数の多かったモードである多数派モードで前記パノラマ画像撮像手段によるパノラマ画像撮像を再度開始し、再度開始されたパノラマ画像の撮像中は前記撮像モード切り替え手段による前記通常モードと前記暗視モードの切り替えを禁止して、多数派モードでパノラマ画像撮像を終了することを特徴とする請求項３記載の撮像装置。
【請求項６】
パノラマ画像撮像の終了の後、前記通常モードで撮像された単位画像数と前記暗視モードで撮像された単位画像数を比較するモード画像数比較手段を備え、
前記モード画像数比較手段により比較された結果に応じて、単位画像数の少なかったモードである少数派モードで撮像された単位画像部分だけを、再度、前記多数派モードで撮像し、パノラマ画像撮像を終了することを特徴とする請求項３記載の撮像装置。
【請求項７】
前記モード画像数比較手段による比較結果が前記通常モードと暗視モードで同一であった際は、予め設定されている撮像モードを前記多数派モードとすることを特徴とする請求項５記載の撮像装置。
【請求項８】
前記モード画像数比較手段による比較結果が前記通常モードと暗視モードで同一であった際は、予め設定されている撮像モードを前記少数派モードとすることを特徴とする請求項６記載の撮像装置。
【請求項９】
前記モード画像数比較手段による比較結果が前記通常モードと前記暗視モードで同一であった際は、再度、パノラマ画像撮像を開始し、前記モード画像数比較手段による比較結果に差が出るまで繰り返し、前記多数派モードを決定することを特徴とする請求項５記載の撮像装置。
【請求項１０】
前記モード画像数比較手段による比較結果が前記通常モードと前記暗視モードで同一であった際は、再度、パノラマ画像撮像を開始し、前記モード画像数比較手段による比較結果に差が出るまで繰り返し、前記少数派モードを決定することを特徴とする請求項６記載の撮像装置。
【請求項１１】
前記被写体照度検出手段は、信号処理部で得られる明るさ及び色情報から被写体の照度を検出することを特徴とする請求項３乃至請求項１０のいずれかに記載の撮像装置。
【請求項１２】
前記被写体照度検出手段は、照度センサにより被写体の照度を検出することを特徴とする請求項３乃至請求項１０のいずれかに記載の撮像装置。
【請求項１３】
被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置の制御方法において、
パノラマ画像を生成するために撮像手段により複数の画像を撮像するパノラマ画像撮像ステップと、
前記通常モードと前記暗視モードを切り替えるための時刻を設定する撮像モード切り替え時刻設定ステップと、
前記撮像モード切り替え時刻設定ステップにより設定された時刻になったら前記通常モードと前記暗視モードを切り替える撮像モード切り替えステップと、を備え、
前記撮像モード切り替えステップは、前記パノラマ画像の撮像の状態に応じて、前記モード切り替えを行わないよう制御することを特徴とする撮像装置の制御方法。
【請求項１４】
被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置の制御方法において、
パノラマ画像を生成するために撮像手段により複数の画像を撮像するパノラマ画像撮像ステップと、
被写体照度を検出する被写体照度検出ステップと、
前記被写体照度検出ステップによって得られた検出結果に応じて前記通常モードと前記暗視モードを切り替える撮像モード切り替えステップと、を備え、
前記撮像モード切り替えステップは、前記パノラマ画像の撮像の状態に応じて、前記モード切り替えを行わないよう制御することを特徴とする撮像装置の制御方法。
【請求項１５】
被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置の制御方法をコンピュータで実行するためのプログラムにおいて、
前記撮像装置の制御方法は、
パノラマ画像を生成するために撮像手段により複数の画像を撮像するパノラマ画像撮像ステップと、
前記通常モードと前記暗視モードを切り替えるための時刻を設定する撮像モード切り替え時刻設定ステップと、
前記撮像モード切り替え時刻設定ステップにより設定された時刻になったら前記通常モードと前記暗視モードを切り替える撮像モード切り替えステップとを備え、
前記撮像モード切り替えステップは、前記パノラマ画像の撮像の状態に応じて、前記モード切り替えを行わないよう制御することを特徴とするプログラム。
【請求項１６】
被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置の制御方法をコンピュータで実行するためのプログラムにおいて、
前記撮像装置の制御方法は、
パノラマ画像を生成するために撮像手段により複数の画像を撮像するパノラマ画像撮像ステップと、
被写体照度を検出する被写体照度検出ステップと、
前記被写体照度検出ステップによって得られた検出結果に応じて前記通常モードと前記暗視モードを切り替える撮像モード切り替えステップとを備え、
前記撮像モード切り替えステップは、前記パノラマ画像の撮像の状態に応じて、前記モード切り替えを行わないよう制御することを特徴とするプログラム。
【請求項１７】
請求項１５又は１６記載のプログラムを格納するコンピュータで読み取り可能な記憶媒体。
【手続補正２】
【補正対象書類名】明細書
【補正対象項目名】０００９
【補正方法】変更
【補正の内容】
【０００９】
上記目的を達成するために、請求項１記載の撮像装置は、被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置において、パノラマ画像を生成するために撮像手段により複数の画像を撮像するパノラマ画像撮像手段と、前記通常モードと前記暗視モードを切り替えるための時刻を設定する撮像モード切り替え時刻設定手段と、前記撮像モード切り替え時刻設定手段により設定された時刻になったら前記通常モードと前記暗視モードを切り替える撮像モード切り替え手段と、を備え、前記撮像モード切り替え手段は、前記パノラマ画像撮像手段の動作状態に応じて、前記モード切り替えを行わないよう制御することを特徴とする。
【手続補正３】
【補正対象書類名】明細書
【補正対象項目名】００１０
【補正方法】変更
【補正の内容】
【００１０】
請求項３記載の撮像装置は、被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置において、パノラマ画像を生成するために撮像手段により複数の画像を撮像するパノラマ画像撮像手段と、被写体の照度を検出する被写体照度検出手段と、前記被写体照度検出手段によって得られた検出結果に応じて前記通常モードと前記暗視モードを切り替える撮像モード切り替え手段と、を備え、前記撮像モード切り替え手段は、前記パノラマ画像撮像手段の動作状態に応じて、前記モード切り替えを行わないよう制御することを特徴とする。
【手続補正４】
【補正対象書類名】明細書
【補正対象項目名】００１１
【補正方法】変更
【補正の内容】
【００１１】
請求項１３記載の撮像装置の制御方法は、被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置の制御方法において、パノラマ画像を生成するために撮像手段により複数の画像を撮像するパノラマ画像撮像ステップと、前記通常モードと前記暗視モードを切り替えるための時刻を設定する撮像モード切り替え時刻設定ステップと、前記撮像モード切り替え時刻設定ステップにより設定された時刻になったら前記通常モードと前記暗視モードを切り替える撮像モード切り替えステップと、を備え、前記撮像モード切り替えステップは、前記パノラマ画像の撮像の状態に応じて、前記モード切り替えを行わないよう制御することを特徴とする。
【手続補正５】
【補正対象書類名】明細書
【補正対象項目名】００１２
【補正方法】変更
【補正の内容】
【００１２】
請求項１４記載の撮像装置の制御方法は、被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置の制御方法において、パノラマ画像を生成するために撮像手段により複数の画像を撮像するパノラマ画像撮像ステップと、被写体照度を検出する被写体照度検出ステップと、前記被写体照度検出ステップによって得られた検出結果に応じて前記通常モードと前記暗視モードを切り替える撮像モード切り替えステップと、を備え、前記撮像モード切り替えステップは、前記パノラマ画像の撮像の状態に応じて、前記モード切り替えを行わないよう制御することを特徴とする。
【手続補正６】
【補正対象書類名】明細書
【補正対象項目名】００１３
【補正方法】変更
【補正の内容】
【００１３】
請求項１５記載のプログラムは、被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置の制御方法をコンピュータで実行するためのプログラムにおいて、前記撮像装置の制御方法は、パノラマ画像を生成するために撮像手段により複数の画像を撮像するパノラマ画像撮像ステップと、前記通常モードと前記暗視モードを切り替えるための時刻を設定する撮像モード切り替え時刻設定ステップと、前記撮像モード切り替え時刻設定ステップにより設定された時刻になったら前記通常モードと前記暗視モードを切り替える撮像モード切り替えステップとを備え、前記撮像モード切り替えステップは、前記パノラマ画像の撮像の状態に応じて、前記モード切り替えを行わないよう制御することを特徴とする。
【手続補正７】
【補正対象書類名】明細書
【補正対象項目名】００１４
【補正方法】変更
【補正の内容】
【００１４】
請求項１６記載のプログラムは、被写体からの撮像光を、赤外線カットフィルタを介して撮像素子に入射させて撮像する通常モード及び被写体からの撮像光を、赤外線カットフィルタを介さずに撮像素子に入射させて撮像する暗視モードを有する撮像装置の制御方法をコンピュータで実行するためのプログラムにおいて、前記撮像装置の制御方法は、パノラマ画像を生成するために撮像手段により複数の画像を撮像するパノラマ画像撮像ステップと、被写体照度を検出する被写体照度検出ステップと、前記被写体照度検出ステップによって得られた検出結果に応じて前記通常モードと前記暗視モードを切り替える撮像モード切り替えステップとを備え、前記撮像モード切り替えステップは、前記パノラマ画像の撮像の状態に応じて、前記モード切り替えを行わないよう制御することを特徴とする。
【手続補正８】
【補正対象書類名】明細書
【補正対象項目名】００１５
【補正方法】変更
【補正の内容】
【００１５】
請求項１７記載のコンピュータで読み取り可能な記憶媒体は、請求項１５又は１６記載のプログラムを格納する。
【手続補正９】
【補正対象書類名】明細書
【補正対象項目名】００１６
【補正方法】削除
【補正の内容】